(57)【要約】  本発明は、専用アプリケーションを搭載したスマート端末を携帯して移動するユーザーにマルチフォーマットコンテンツ情報を提供するプレイスタイム（ｐｌａｃｅ ｔｉｍｅ）ベースのローカルインタラクティブサービスを提供する技術に関する。特に、専用アプリケーションが活性化された状態のスマート端末を携帯したユーザーは、スマート端末に対する別途の操作なしで特定の有・無線ＡＰが設置されている場所に進入すると、プレイスタイム方式でその場所に合わせて予めマッピングされたマルチフォーマットコンテンツ情報の提供を受けることができる。本発明によれば、特定の有・無線ＡＰが設置されている場所に、スマート端末を携帯したユーザーが留まっている時間を累積し、タイムコインとして積み立てて管理した後、それによる特典が与えられるようにすることができるので、映画館、カフェ／コーヒーショップ、銀行／公共サービス、展示会／博物館、ウェディング博覧会、電子看板(digital signage)、フランチャイズ／ショップ、百貨店／アウトレット、レストラン／飲食店などを運営する個別事業者は、コンテンツサーバー事業者と協議して、該当場所に設置される有・無線ＡＰに対応するマルチフォーマットコンテンツ情報を目的に合わせて予めマッピングすることもできる。
2016519794.tif 000002
【特許請求の範囲】
【請求項１】
位置に対する固有識別情報を有し、予め設定された変動パターンで高周波帯域のサウンド信号を外部へ出力する有・無線ＡＰ（１００）と；
固有番号を有するスマート端末に搭載され、活性化状態で前記固有番号と前記サウンド信号をリアルタイムで感知し、前記サウンド信号に対応する前記固有識別情報と前記固有番号を外部へ伝送するプログラムを記録したコンピュータ可読記録媒体と；
前記スマート端末から前記固有番号と前記サウンド信号を受信し、前記固有番号と前記サウンド信号に対応する前記固有識別情報を外部へ伝送するロケーションサーバー（３００）と；
前記ロケーションサーバーから前記固有番号と前記固有識別情報を受信し、前記固有識別情報に対応して、オーディオデータ、ビデオデータを含む予めマッピングしたマルチフォーマットコンテンツ情報を前記スマート端末へリアルタイムで伝送して出力されるようにするコンテンツサーバー（４００）と；
を含んでなることを特徴とする、サウンド信号に基づくローカルインタラクティブプラットフォームシステム。
【請求項２】
前記有・無線ＡＰには、
前記サウンド信号の出力を反転させる反転時間値を１つ以上予め設定し、前記１つ以上の反転時間値から選択した１つの前記反転時間値に対応して前記サウンド信号が反転する一定区間に対する変動時間を予め設定し、
前記反転時間値を２つ以上に設定した場合、前記変動時間を超えるオーバーフロー時ごとに、前記２つ以上に設定した反転時間値に応じて順次前記サウンド信号の出力を反転させて前記変動パターンを予め設定することを特徴とする、請求項１に記載のサウンド信号に基づくローカルインタラクティブプラットフォームシステム。
【請求項３】
前記スマート端末は、前記コンテンツサーバーから受信した前記マルチフォーマットコンテンツ情報を自動的にリアルタイムで出力させることを特徴とする、請求項２に記載のサウンド信号に基づくローカルインタラクティブプラットフォームシステム。
【請求項４】
前記スマート端末は、前記有・無線ＡＰからリアルタイムで出力される前記サウンド信号の感知時間を累積データとして保存した後、前記ロケーションサーバーを介して前記コンテンツサーバーへ伝送し、
前記コンテンツサーバーは、前記受信した累積データをユーザーが前記スマート端末の操作で使用可能なタイムコインとして積み立てて管理した後、前記タイムコインを前記マルチフォーマットコンテンツ情報にマッピングすることを特徴とする、請求項３に記載のサウンド信号に基づくローカルインタラクティブプラットフォームシステム。
【請求項５】
（ａ）位置に対する固有識別情報を有する有・無線ＡＰから外部へ出力されるサウンド信号に対する変動パターンを予め設定する段階と、
（ｂ）コンテンツサーバーに、前記変動パターンに対応して、オーディオデータ、ビデオデータを含むマルチフォーマットコンテンツ情報を予めマッピングする段階と、
（ｃ）前記有・無線ＡＰから、予め設定された変動パターンに応じるサウンド信号を外部へ出力する段階と、
（ｄ）固有番号を有するスマート端末を介して、前記有・無線ＡＰから出力される前記サウンド信号をリアルタイムで感知する段階と、
（ｅ）ロケーションサーバーが前記スマート端末から前記固有番号と前記感知したサウンド信号を受信し、前記固有番号と前記サウンド信号に対応する前記固有識別情報をコンテンツサーバーへ伝送する段階と、
（ｆ）コンテンツサーバーが前記ロケーションサーバーから前記固有番号と前記固有識別情報を受信し、前記固有識別情報に対応して、前記マッピングしたマルチフォーマットコンテンツ情報を前記スマート端末へ伝送して出力させる段階と、を含んでなることを特徴とする、サウンド信号に基づくローカルインタラクティブサービス提供方法。
【請求項６】
前記段階（ａ）は、
（ａ−１）前記サウンド信号の出力を反転させる反転時間値を１つ以上予め設定する段階と、
（ａ−２）前記１つ以上の反転時間値から選択された１つの前記反転時間値に対応して前記サウンド信号が反転する一定区間に対する変動時間を予め設定する段階と、
（ａ−３）前記反転時間値が２つ以上に設定された場合、前記変動時間を超えるオーバーフロー時ごとに、前記２つ以上に設定された反転時間値に応じて順次前記サウンド信号の出力を反転させて前記変動パターンを予め設定する段階と、を含んでなることを特徴とする、請求項５に記載のサウンド信号に基づくローカルインタラクティブサービス提供方法。
【請求項７】
前記段階（ｄ）は、
（ｄ−１）前記スマート端末を介して、前記有・無線ＡＰからリアルタイムで出力される前記サウンド信号の感知時間を累積データとして保存する段階と、
（ｄ−２）前記保存された累積データを前記ロケーションサーバーを介して前記コンテンツサーバーへ伝送する段階と、をさらに含んでなり、
前記段階（ｆ）は、
前記コンテンツサーバーが、前記ロケーションサーバーを介して受信した前記累積データを、前記スマート端末の操作によって特典が受けられるタイムコインとして積み立てて管理する段階をさらに含んでなり、
前記段階（ｂ）は、
前記タイムコインを前記マルチフォーマットコンテンツ情報に予めマッピングする段階をさらに含んでなることを特徴とする、請求項６に記載のサウンド信号に基づくローカルインタラクティブサービス提供方法。
【請求項８】
請求項５〜７のいずれか１項に記載のサウンド信号に基づくローカルインタラクティブサービス提供方法を行うためのプログラムを記録したコンピュータ可読記録媒体。
【発明の詳細な説明】
【技術分野】
【０００１】
本発明は、専用アプリケーションを搭載したスマート端末を携帯して移動するユーザーにマルチフォーマットコンテンツ情報を提供するプレイスタイム（ｐｌａｃｅ ｔｉｍｅ）ベースのローカルインタラクティブサービスを提供する技術に関する。
【０００２】
特に、本発明は、複数の地域に設置された有・無線ＡＰから出力されるサウンド信号を個々のパターンに設定し、このサウンド信号が出力される領域に、スマート端末を携帯したユーザーが進入すると、このスマート端末が、該当有無線ＡＰの位置に対する固有番号を有するサウンド信号を感知する。このようにスマート端末が感知した情報はコンテンツサーバーに伝送され、コンテンツサーバーは、その受信した情報に基づいて、該当有無線ＡＰのサウンド信号に対応して予めマッピングしたマルチフォーマットコンテンツ情報を該当スマート端末へ伝送して出力する。
【０００３】
また、有・無線ＡＰから出力されるサウンド信号の範囲に、スマート端末を携帯したユーザーが留まっている時間を、コンテンツサーバーがタイムコインとして積み立てて管理し、その積み立てられたタイムコインに応じて該当スマート端末のユーザーに一定の特典を提供する技術に関する。
【背景技術】
【０００４】
一般に、インタラクティブサービスとは、既存の単方向のデータ伝送から脱皮して双方向のデータ転送が可能なサービス形態のことをいう。
【０００５】
特に、モバイル機器、スマート端末にインストールされる様々なアプリケーションを用いて、該当アプリケーションに関連する様々なインタラクティブサービスを利用することができるようになった。
【０００６】
ところが、従来のスマート端末などにインストールされるアプリケーションを用いるインタラクティブサービスは、専用のアプリケーションがインストールされているスマート端末の関連メニューをユーザーがその時その時に操作して該当サービスを利用するパターンであった。
【０００７】
すなわち、スマート端末などにアプリケーションをインストールしても、該当アプリケーションの操作を上手に活用することが可能なユーザーのみが、該当アプリケーションに対応するサービスを適切に利用することができるという短所があった。
【先行技術文献】
【特許文献】
【０００８】
【特許文献１】韓国特許出願第１０−２００８−００８４１３７号（インタラクティブサービスにおける広告提供方法）
【特許文献２】韓国特許出願第１０−２００７−００２４７１６号（サウンドデータを用いたクーポンまたは認証コード処理システム）
【発明の概要】
【発明が解決しようとする課題】
【０００９】
本発明の目的は、プレイスタイム方式で専用アプリケーションが活性化されたスマート端末を携帯したユーザーが一定の場所に進入すると、該当場所に設置されている有・無線ＡＰから出力される特定のパターンのサウンド信号を感知することにより、スマート端末に対する別途の操作なしでも特定のパターンのサウンド信号に対応するマルチフォーマットコンテンツ情報をスマート端末に出力させることができる技術を提供することにある。
【課題を解決するための手段】
【００１０】
上記目的を達成するために、本発明に係るサウンド信号に基づくローカルインタラクティブプラットフォームシステムは、位置に対する固有識別情報を有し、予め設定された変動パターンで高周波帯域のサウンド信号を外部へ出力する有・無線ＡＰと；固有番号を有するスマート端末に搭載され、活性化状態で固有番号とサウンド信号をリアルタイムで感知し、サウンド信号に対応する固有識別情報と固有番号を外部へ伝送するプログラムを記録したコンピュータ可読記録媒体と；スマート端末から固有番号とサウンド信号を受信し、固有番号とサウンド信号に対応する固有識別情報を外部へ伝送するロケーションサーバーと；ロケーションサーバーから固有番号と固有識別情報を受信し、固有識別情報に対応して、オーディオデータ、ビデオデータを含む予めマッピングしたマルチフォーマットコンテンツ情報をスマート端末へリアルタイムで伝送して出力されるようにするコンテンツサーバーと；を含んで構成される。
【００１１】
このとき、有・無線ＡＰには、サウンド信号の出力を反転させる反転時間値を１つ以上予め設定し、１つ以上の反転時間値から選択された１つの反転時間値に対応してサウンド信号が反転する一定区間に対する変動時間を予め設定し、反転時間値を２つ以上に設定した場合、変動時間を超えるオーバーフロー時ごとに、２つ以上に設定した反転時間値に応じて順次サウンド信号の出力を反転させて変動パターンを予め設定するように構成される。
【００１２】
そして、スマート端末は、コンテンツサーバーから受信したマルチフォーマットコンテンツ情報を自動的にリアルタイムで出力させる。
【００１３】
一方、スマート端末は、有・無線ＡＰからリアルタイムで出力されるサウンド信号の感知時間を累積データとして保存した後、ロケーションサーバーを介してコンテンツサーバーへ伝送し、コンテンツサーバーは、受信した累積データをユーザーがスマート端末の操作で使用可能なタイムコインとして積み立てて管理した後、タイムコインをマルチフォーマットコンテンツ情報にマッピングするように構成される。
【００１４】
また、本発明に係るサウンド信号に基づくローカルインタラクティブサービス提供方法は、（ａ）位置に対する固有識別情報を有する有・無線ＡＰから外部へ出力されるサウンド信号に対する変動パターンを予め設定する段階と、（ｂ）コンテンツサーバーに、変動パターンに対応して、オーディオデータ、ビデオデータを含むマルチフォーマットコンテンツ情報を予めマッピングする段階と、（ｃ）有・無線ＡＰから、予め設定された変動パターンに応じるサウンド信号を外部へ出力する段階と、（ｄ）固有番号を有するスマート端末を介して、有・無線ＡＰから出力されるサウンド信号をリアルタイムで感知する段階と、（ｅ）ロケーションサーバーがスマート端末から固有番号と感知したサウンド信号を受信し、固有番号とサウンド信号に対応する固有識別情報をコンテンツサーバーへ伝送する段階と、（ｆ）コンテンツサーバーがロケーションサーバーから固有番号と固有識別情報を受信し、その受信した固有識別情報に対応して、マッピングしたマルチフォーマットコンテンツ情報をスマート端末へ伝送して出力させる段階とを含んで構成される。
【００１５】
本発明において、段階（ａ）は、（ａ−１）サウンド信号の出力を反転させる反転時間値を１つ以上予め設定する段階と、（ａ−２）１つ以上の反転時間値から選択された１つの反転時間値に対応してサウンド信号が反転する一定区間に対する変動時間を予め設定する段階と、（ａ−３）反転時間値が２つ以上に設定された場合、変動時間を超えるオーバーフロー時ごとに、２つ以上に設定された反転時間値に応じて順次サウンド信号の出力を反転させて変動パターンを予め設定する段階とを含んで構成される。
【００１６】
段階（ｄ）は、（ｄ−１）スマート端末を介して、有・無線ＡＰからリアルタイムで出力されるサウンド信号の感知時間を累積データとして保存する段階と、（ｄ−２）保存された累積データをロケーションサーバーを介してコンテンツサーバーへ伝送する段階とをさらに含んでなり、段階（ｆ）は、コンテンツサーバーが、ロケーションサーバーを介して受信した累積データを、スマート端末の操作によって特典が受けられるタイムコインとして積み立てて管理する段階をさらに含んでなり、段階（ｂ）は、タイムコインをマルチフォーマットコンテンツ情報に予めマッピングする段階をさらに含んでなることが好ましい。
【００１７】
一方、本発明に係るコンピュータ可読記録媒体は、上述したサウンド信号に基づくローカルインタラクティブサービス提供方法を行うためのプログラムを記録したものである。
【発明の効果】
【００１８】
本発明によれば、次の作用効果を達成することができる。
【００１９】
（１）専用アプリケーションがインストールされているスマート端末を携帯したユーザーが一定の場所に進入すると、該当場所に設置されている有・無線ＡＰから出力される特定のパターンのサウンド信号を感知することにより、スマート端末に対するユーザーの別途の操作なしでも特定のパターンのサウンド信号に対応するマルチフォーマットコンテンツ情報をスマート端末へ出力させることができるという長所がある。
【００２０】
（２）複数の場所に設置されている有・無線ＡＰから出力されるサウンド信号のパターンを特定することにより、コンテンツサーバーは、該当サウンド信号に対応して予めマッピングしたマルチフォーマットコンテンツ情報を、該当サウンド信号を感知したスマート端末へＡｕｔｏ−Ｓｙｎｃ方式で伝送することができるので、従来の無分別な情報伝達とは全く異なる新しいパターンのローカルインタラクティブサービスの提供を受けることができる。
【００２１】
（３）一定の位置（場所）に対する固有識別情報を持っている有・無線ＡＰに特定のパターンのサウンド信号を出力するように設定し、該当有無線ＡＰのサウンド信号の出力範囲内にスマート端末が進入すると、コンテンツサーバーが、該当有・無線ＡＰのサウンド信号に対応して予めマッピングされたマルチフォーマットコンテンツ情報を該当スマート端末へ伝送して出力させることができるので、スマート端末を携帯したユーザーが訪問する場所に応じたカスタマイズ情報を提供することができる。
【００２２】
（４）特定の有・無線ＡＰが設置されている場所に、スマート端末を携帯したユーザーが留まっている時間を累積し、タイムコインとして積み立てて管理した後、それによる特典が与えられるようにして、映画館、カフェ／コーヒーショップ、銀行／公共サービス、展示会／博物館、ウェディング博覧会、電子看板(digital signage)、フランチャイズ／ショップ、百貨店／アウトレット、レストラン／飲食店などを運営する個別事業者は、コンテンツサーバー事業者と協議して、該当場所に設置される有・無線ＡＰに対応するマルチフォーマットコンテンツ情報を目的に合わせて予めマッピングすることもできる。
【図面の簡単な説明】
【００２３】
【図１】本発明に係るサウンド信号に基づくローカルインタラクティブプラットフォームシステム全体を概略的に示す構成図である。
【図２】本発明のサウンド信号に対する変動パターンを設定する例を示すグラフである。
【図３】本発明に係る反転時間値、および一定の反転時間値を維持する一定区間に対する変動時間を設定する過程を示すフローチャートである。
【図４】本発明のサウンド信号に対する変動パターンを設定する例を示すフローチャートである。
【図５】本発明に係るサウンド信号に基づくローカルインタラクティブサービス提供過程を示す順序図である。
【図６】本発明に係るタイムコインを提供する過程を示すフローチャートである。
【発明を実施するための形態】
【００２４】
以下、図面を参照して本発明を詳細に説明する。
【００２５】
図１は本発明に係るサウンド信号に基づくローカルインタラクティブプラットフォームシステム全体を概略的に示す構成図である。図１を参照すると、本発明に係るサウンド信号に基づくローカルインタラクティブプラットフォームシステムは、有・無線ＡＰ１００、スマート端末２００、ロケーションサーバー３００、およびコンテンツサーバー４００を含んで構成される。
【００２６】
有・無線ＡＰ１００は、位置に対する固有識別情報を有し、予め設定された変動パターンで高周波帯域のサウンド信号を外部へ出力する。有・無線ＡＰ１００は、インターネット網を介して通信するＰＣのスピーカーから音波を発生させる方式でサウンド信号を出力することができる。
【００２７】
スマート端末２００は、固有番号を備え、記録媒体にインストールされているプログラムが活性化された状態で固有番号とサウンド信号をリアルタイムで感知し、サウンド信号に対応する固有識別情報と固有番号を外部のロケーションサーバー３００へ伝送するプログラム（専用アプリケーション）を記録する。
【００２８】
また、スマート端末２００は、コンテンツサーバー４００から受信したマルチフォーマットコンテンツ情報をスマート端末２００にリアルタイムで出力させて表示する。このとき、専用アプリケーションがインストールされているスマート端末２００のユーザーは、別途の操作なしでも、スマート端末２００に専用アプリケーションが活性化された状態で予めマッピングされて指定されたマルチフォーマットコンテンツ情報を自動的（Ａｕｔｏ−Ｓｙｎｃ方式）に出力させることができる。
【００２９】
そして、スマート端末２００は、有・無線ＡＰからリアルタイムで出力されるサウンド信号の感知時間を累積データとして保存した後、ロケーションサーバー３００を介してコンテンツサーバー４００に伝送し、コンテンツサーバー４００は、受信した累積データをユーザーがスマート端末２００の操作で使用することが可能なタイムコインとして積み立てて管理した後、タイムコインをマルチフォーマットコンテンツ情報にマッピングする。このとき、スマート端末２００に別途の操作なしで自動的に出力されるようにするマルチフォーマットコンテンツ情報とは異なり、タイムコインは、ユーザーの使用／不使用を選択しなければならない事項である。よって、このタイムコインを現金のように使用するためには、ユーザーが、スマート端末２００に表示されたメニューから操作によって使用／不使用を決定することができる。
【００３０】
ロケーションサーバー３００は、スマート端末２００から固有番号とサウンド信号を受信し、固有番号とサウンド信号に対応する固有識別情報をコンテンツサーバー４００へ伝送する。
【００３１】
コンテンツサーバー４００は、ロケーションサーバー３００から固有番号と固有識別情報を受信し、固有識別情報に対応して、オーディオデータ、ビデオデータを含む予めマッピングしたマルチフォーマットコンテンツ情報をスマート端末２００へリアルタイムで伝送して出力されるようにする。
【００３２】
図２は本発明のサウンド信号に対する変動パターンを設定する例を示すグラフである。
【００３３】
図２を参照すると、有・無線ＡＰ１００には、サウンド信号の出力を反転させる反転時間値を１つ以上予め設定し、１つ以上の反転時間値から選択された１つの反転時間値に対応してサウンド信号が反転する一定区間に対する変動時間を予め設定する。そして、反転時間値を２つ以上に設定した場合、変動時間を超えるオーバーフロー時ごとに、２つ以上に設定した反転時間値に応じて順次サウンド信号の出力を反転させて変動パターンを予め設定する。
【００３４】
すなわち、有・無線ＡＰ１００には、複数のパターンの特定のサウンド信号を出力することができるようにサウンド信号の出力を反転させる変動パターンを予め設定することになる。詳しくは、図２の（ａ）は、一定の反転パターンを持つ１つの例であって、１つ以上の反転する一定区間に対する変動時間（ＴｉｍｅｒＢ）として同じ時間に複数の区間を設定することができる。そして、１つの一定区間で同じ反転時間値（ＴｉｍｅｒＡ１ ｏｒ ＴｉｍｅｒＡ２ ｏｒ ＴｉｍｅｒＡ３）を持つようにサウンド信号の変動パターンを設定することができる。
【００３５】
図２の（ｂ）は、別の一定の反転パターンを持つ１つの例であって、図２の（ａ）に示すように同じ変動時間（ＴｉｍｅｒＢ）を複数の区間に設定した後、１つの一定区間で同じ反転時間値（ＴｉｍｅｒＡ１ ｏｒ ＴｉｍｅｒＡ３ ｏｒ ＴｉｍｅｒＡ２）の順序を変えて、図２の（ａ）とは異なる変動パターンのサウンド信号を出力することができる。
【００３６】
図２の（ａ）および（ｂ）に示すように様々なパターンでサウンド信号の反転する変動パターンを予め設定し、それぞれの変動パターンに対するサウンド信号に対応して、コンテンツサーバー４００では個々のマルチフォーマットコンテンツ情報を予めマッピングする。
【００３７】
このような状態で特定の反転パターンを持つサウンド信号が、一定の場所に設置されている１つの有・無線ＡＰ１００から出力される。該当有・無線ＡＰ１００が設置されている場所を通るスマート端末２００が、出力されるサウンド信号を感知すると、該当特定のサウンド信号とその有・無線ＡＰ１００の固有識別情報に対応して、コンテンツサーバー４００では予めマッピングされたマルチフォーマットコンテンツ情報を該当スマート端末２００に伝送して自動表示する。
【００３８】
図３は本発明に係る反転時間値、および一定の反転時間値を維持する一定区間に対する変動時間を設定する過程を示すフローチャートである。図３を参照すると、本発明で採用する有・無線ＡＰ１００には制御部とタイマーが搭載できるが、制御部は、有・無線ＡＰ１００から出力されるサウンド信号の変動パターンのための信号反転を制御し、タイマーは、予め設定した図２の変動時間（ＴｉｍｅｒＢ）と反転時間値（ＴｉｍｅｒＡ１、ＴｉｍｅｒＡ２、ＴｉｍｅｒＡ３）をチェックして制御部へ知らせる。
【００３９】
詳しくは、図３の（ａ）を参照すると、タイマーが予め設定した反転時間値（ＴｉｍｅｒＡ；図２のＴｉｍｅｒＡ１、ＴｉｍｅｒＡ２、ＴｉｍｅｒＡ３）をカウントし（Ｓ１）、 このカウントされた反転時間値と予め設定した反転時間値の数値（ＳＴ）とが一致すると（Ｓ２）、サウンド信号が［１→０］または［０→１］に反転し（Ｓ３）、さらに反転時間値（ＴｉｍｅｒＡ）を繰り返しカウントしながらサウンド信号を出力する。
【００４０】
そして、図３の（ｂ）を参照すると、タイマーが予め設定した変動時間（ＴｉｍｅｒＢ）をカウントし（Ｓ４）、予め設定した変動時間の数値を超えるオーバーフロー（Ｏｖｅｒｆｌｏｗ）時ごとに（Ｓ５）、予め設定した他の変動時間（ＴｉｍｅｒＢ）に変える。このとき、変動時間（ＴｉｍｅｒＢ）は同一に維持することもできる。このように変動時間（ＴｉｍｅｒＢ）を同一に維持するときは、反転時間値（ＴｉｍｅｒＡ）を互いに異なるように設定し、その順序を操作する変動パターンを介して様々なパターンのサウンド信号を出力することができる。
【００４１】
すなわち、一定個数のパターンで出力されるサウンド信号を、一定の位置に設置されている１つの有・無線ＡＰ１００に設定すると、感知されたサウンド信号に基づいて有・無線ＡＰ１００の位置に対する固有識別情報を確認することができる。
【００４２】
図４は本発明のサウンド信号に対する変動パターンを設定する例を示すフローチャートである。次に、図４を参照して、一定の位置に設置されている有・無線ＡＰ１００から出力されるサウンド信号の変動パターンを予め設定する過程を具体的に説明する。
【００４３】
Ｓ１１１、Ｓ１１２：まず、サウンド信号の出力を反転させる反転時間値（図２のＴｉｍｅｒＡ１、ＴｉｍｅｒＡ２、ＴｉｍｅｒＡ３）を１つ以上予め設定する。そして、１つ以上の反転時間値から選択された１つの反転時間値に対応してサウンド信号が反転する一定区間に対する変動時間（ＴｉｍｅｒＢ）を予め設定する。このとき、変動時間（ＴｉｍｅｒＢ）は区間ごとに一定に或いは異ならせて維持することができる。
【００４４】
Ｓ１１３、Ｓ１１４：一定の位置に設置されている有・無線ＡＰ１００で、他の場所に設置されている有・無線ＡＰ１００とは異なる特定の変動パターンを持つように、少なくとも２つに組み合わせることが可能な反転時間値を設定する。そして、変動時間を超えるオーバーフロー時ごとに、サウンド信号が反転する一定区間に対する変動時間も予め設定する。上述したように、変動時間は区間ごとに一定に或いは異ならせて維持することができる。
【００４５】
Ｓ１１５、Ｓ１１６、Ｓ１１７：続いてサウンド信号が出力されると、一定の変動時間を持つ１つの一定区間で１つの反転時間値に応じてサウンド信号が反転しながら特定の変動パターンを持つことになる。次いで、予め設定した変動時間を超えるオーバーフローになると、もう１つの一定区間で予め設定した別の反転時間値に応じてサウンド信号が反転しながら特定の変動パターンを実現することになる。
【００４６】
図５は本発明に係るサウンド信号に基づくローカルインタラクティブサービス提供過程を示す順序図である。
【００４７】
Ｓ１１０、Ｓ４１０：まず、有・無線ＡＰ１００には、サウンド信号の出力を反転させる反転時間値が１つ以上設定される。そして、１つ以上の反転時間値から選択された１つの反転時間値に対応してサウンド信号が反転する一定区間に対する変動時間も予め設定する。このとき、反転時間値が２つ以上に設定された場合には、変動時間を超えるオーバーフローが発生するたびに、２つ以上に設定された反転時間値に応じて順次サウンド信号の出力を反転させるように設定して特定の変動パターンを設定する。
【００４８】
そして、コンテンツサーバー４００には、変動パターンに対応して、オーディオデータ、ビデオデータを含むマルチフォーマットコンテンツ情報を予めマッピングする。このときのマルチフォーマットコンテンツ情報は、 映画館、カフェ／コーヒーショップ、銀行／公共サービス、展示会／博物館、ウェディング博覧会、電子看板(digital signage)、フランチャイズ／ショップ、百貨店／アウトレット、レストラン／飲食店などを運営する個別事業者と、コンテンツサーバー事業者とが協議して、有・無線ＡＰ１００が設置される場所の目的に合わせて構成することができる。
【００４９】
Ｓ１２０：このように特定の変動パターンを持つように設定された高周波帯域のサウンド信号は、一定の位置に設置されている有・無線ＡＰ１００から出力され、近距離無線通信によって一定の範囲内に伝送される。
【００５０】
Ｓ１３０、Ｓ１４０：このように出力されるサウンド信号は、有・無線ＡＰ１００の周辺を通っているか留まっているユーザーのスマート端末２００によって感知される。この時のスマート端末２００は、本発明の記録媒体に記録された専用アプリケーションがインストールされ、活性化された状態を維持しなければならない（Ｓ２１０）。
【００５１】
ここで、スマート端末２００に無分別に伝達される既存のインタラクティブサービスとは異なり、ＲＴＬＳ（Ｒｅａｌ Ｔｉｍｅ Ｌｏｃａｔｉｏｎ Ｓｅｒｖｉｃｅ）に基づいて、一定の場所の有・無線ＡＰ１００を介してコンテンツサーバー４００が知らせようとする情報を、そのスマート端末２００のユーザーが適切に利用することができるという長所がある。
【００５２】
Ｓ２２０、Ｓ２３０：スマート端末２００を介して感知されたサウンド信号は、３ＧやＷｉ−Ｆｉなどの通信網を介してロケーションサーバー３００を経てコンテンツサーバー４００に伝送される。このとき、スマート端末２００からコンテンツサーバー４００に伝送されるサウンド信号を介して、コンテンツサーバー４００では該当有無線ＡＰ１００の固有識別情報、スマート端末２００の固有番号を確認することができる。
【００５３】
Ｓ２４０、Ｓ２５０：続いて、コンテンツサーバー４００は、有・無線ＡＰ１００の固有識別情報に対応して、予めマッピングしたマルチフォーマットコンテンツ情報をスマート端末２００へ伝送して表示する。この時、ユーザーの別途の操作なしで専用アプリケーションのみが活性化されている状態のスマート端末２００には、コンテンツサーバー４００から伝送されたマルチフォーマットコンテンツ情報はオートシンク（Ａｕｔｏ−Ｓｙｎｃ）方式で自動表示される。
【００５４】
図６は本発明に係るタイムコインを提供する過程を示すフローチャートである。図６を参照すると、本発明は、有・無線ＡＰ１００から出力されるサウンド信号の範囲に、スマート端末２００を携帯したユーザーが留まっている時間を、コンテンツサーバー４００が現金のように使用することが可能なタイムコインとして積み立てて管理し、その積み立てられたタイムコインに応じてスマート端末２００のユーザーに一定の特典を提供するが、これについての具体的な過程を説明すると、次のとおりである。
【００５５】
Ｓ３１０：コンテンツサーバー４００は、有・無線ＡＰ１００のサウンド信号の変動パターンに対応してマルチフォーマットコンテンツ情報を予めマッピングするが、タイムコインもマルチフォーマットコンテンツ情報の１つとして予めマッピングする。
【００５６】
Ｓ３２０、Ｓ３３０：スマート端末２００にインストールされる専用アプリケーションは、スマート端末２００を介して有・無線ＡＰ１００からリアルタイムで出力されるサウンド信号の感知時間を累積データとして保存するようにする。次に、保存された累積データをロケーションサーバー３００を介してコンテンツサーバー４００へ伝送する。
【００５７】
Ｓ３４０、Ｓ３５０：次いで、コンテンツサーバー４００は、その受信した累積データに基づいて、スマート端末２００を携帯したユーザーが特典を受けられるタイムコインとして積み立てて管理し、その積み立てられたタイムコインを該当スマート端末２００へ伝送する。このように伝送されるタイムコインはＡｕｔｏ−Ｓｙｎｃ方式でスマート端末２００に自動表示される。
【００５８】
Ｓ３６０：スマート端末２００に自動表示されたタイムコインに対する使用／不使用は、ユーザーの追加操作によってタイムコインを活性化することができる。ここで、タイムコインは、 現金のように使用して、例えば定期刊行物の購読券やショッピングクーポンなどを獲得することができる。
【００５９】
また、本発明は、コンピュータ可読記録媒体にコンピュータ可読コードの形で実現することが可能である。このとき、コンピュータ可読記録媒体は、コンピュータシステムによって読み取られるデータが保存されるすべての種類の記録装置を含む。
【００６０】
コンピュータ可読記録媒体の例としては、ＲＯＭ、ＲＡＭ、ＣＤ−ＲＯＭ、磁気テープ、フロッピーディスク、光データ保存装置などがあり、キャリアウェーブ（例えば、インターネットを通じた伝送）の形で実現されることも含む。また、コンピュータ可読記録媒体は、ネットワークで接続されたコンピュータシステムに分散した方式でコンピュータ可読コードが保存および実行できる。そして、本発明を実現するための機能的なプログラム、コード、コードセグメントは、本発明の属する技術分野におけるプログラマーが容易に推論することが可能である。
【図１】
2016519794.tif 000003
【図２】
2016519794.tif 000004
【図３】
2016519794.tif 000005
【図４】
2016519794.tif 000006
【図５】
2016519794.tif 000007
【図６】
2016519794.tif 000008
【国際調査報告】
2016519794.tif 000009
2016519794.tif 000010
2016519794.tif 000011
2016519794.tif 000012